(57)【要約】【課題】視聴予約機能が活用しやすいコンテンツ再生装置を提供すること。【解決手段】第１のコンテンツと第１のコンテンツの再生開始時刻よりも再生開始時刻が遅い第２のコンテンツとを視聴予約可能な視聴予約部と、第１のコンテンツと第２のコンテンツのうち少なくとも一方を制御対象コンテンツとして設定する設定部と、前記視聴予約部によって視聴予約された第１のコンテンツの再生終了時刻よりも第２のコンテンツの再生開始時刻のほうが早い場合に第１のコンテンツの再生終了後に第２のコンテンツの再生が開始されるように前記設定部で設定された前記制御対象コンテンツの再生速度を制御する再生速度制御部と、を備えることとする。【選択図】図１
2014103442.tif 000002
【特許請求の範囲】
【請求項１】
第１のコンテンツと第１のコンテンツの再生開始時刻よりも再生開始時刻が遅い第２のコンテンツとを視聴予約可能な視聴予約部と、
第１のコンテンツと第２のコンテンツのうち少なくとも一方を制御対象コンテンツとして設定する設定部と、
前記視聴予約部によって視聴予約された第１のコンテンツの再生終了時刻よりも第２のコンテンツの再生開始時刻のほうが早い場合に第１のコンテンツの再生終了後に第２のコンテンツの再生が開始されるように前記設定部で設定された前記制御対象コンテンツの再生速度を制御する再生速度制御部と、
を備えるコンテンツ再生装置。
【請求項２】
前記再生速度制御部はさらに所定時刻までに第１のコンテンツの再生及び第２のコンテンツの再生が終了するように前記設定部で設定された前記制御対象コンテンツの再生速度を制御する請求項１に記載のコンテンツ再生装置。
【請求項３】
前記所定時刻は第１のコンテンツ及び第２のコンテンツのうち前記視聴予約部による視聴予約設定時における再生終了時刻が遅いコンテンツの再生終了時刻又は視聴者により設定された任意の時刻である請求項２に記載のコンテンツ再生装置。
【請求項４】
前記制御対象コンテンツが記録コンテンツである場合に、前記再生速度制御部は前記記録コンテンツの少なくとも一部について再生速度を制御する請求項１〜請求項３のいずれか１項に記載のコンテンツ再生装置。
【請求項５】
放送コンテンツを受信する受信部と、前記受信部により受信された放送コンテンツを記録予約可能な記録予約部と、を備え、前記制御対象コンテンツが前記受信部により受信される放送コンテンツである場合に、前記記録予約部は前記放送コンテンツに記録予約を行い、前記再生速度制御部は前記記録予約部によって記録予約が行われた記録後の前記放送コンテンツの少なくとも一部について再生速度を制御する請求項１〜請求項４のいずれか１項に記載のコンテンツ再生装置。
【請求項６】
前記再生速度制御部による前記制御対象コンテンツに対する再生速度の制御は話速変換再生速度又は音声付早送り再生速度での再生であること請求項１〜請求項５のいずれか１項に記載のコンテンツ再生装置。
【発明の詳細な説明】
【技術分野】
【０００１】
本発明は、コンテンツ再生装置に関する。
【背景技術】
【０００２】
放送局が放送するコンテンツ、インターネット上で配信されるコンテンツ、録画したコンテンツを再生するコンテンツ再生装置が提供されている。近年のコンテンツ再生装置は視聴予約機能を有している。視聴予約機能とは特定のコンテンツの視聴を予約する機能であり、具体的には予約時間になったときに特定のコンテンツの再生が開始される機能である。
【０００３】
以下、テレビ番組（テレビ放送局が放送するコンテンツ）を例に説明すると、視聴予約設定を行った番組が放送開始前の番組であればその番組の放送開始時間が到来した際にその番組にチャンネルが切り換わる。視聴予約設定を行った番組が放送終了後の番組であればユーザが設定した任意の再生開始時間にその番組の再生が開始する。なお、録画されていない放送終了後の番組に対して視聴予約設定を行うことはできないので、本明細書で放送終了後の番組に視聴予約設定がなされるとき、その放送終了後の番組は記録番組であることとする。
【０００４】
ところで、特許文献１には、現在放送中の番組が前番組（例えば野球放送）の延長やユーザの一時的な退席等で一部視聴できない場合に、バックグラウンドで録画しておき、視聴できるようになった際に通常放送に追いつくまで録画部分の高速再生を行うことが記載されている。
【先行技術文献】
【特許文献】
【０００５】
【特許文献１】特開平１０−５６６２０号公報
【発明の概要】
【発明が解決しようとする課題】
【０００６】
特許文献１は突発的な事情により通常放送の視聴ができなくなったときにユーザの要求に応じて高速再生を行うものである。これに対して視聴予約は事前に再生時間を指定するものであり、従来のコンテンツ再生装置では、例えば２つの録画番組を視聴予約する際に両番組の再生時間が重複するように予約することはできなかった。そのような視聴予約は、先の録画番組の再生終了時間よりも前に、後の録画番組の再生開始時間が到来してしまうからである。
【０００７】
つまり視聴予約機能は任意の時間を番組の再生開始時間に指定可能な機能でありながら、複数の番組の再生時間が重複するような視聴予約はできず、一定の制限の下、利用されていた。
【０００８】
本発明は上述した問題点に鑑み、視聴予約機能が活用しやすいコンテンツ再生装置を提供することを目的とする。
【課題を解決するための手段】
【０００９】
上記目的を達成するために本発明のコンテンツ再生装置は、第１のコンテンツと第１のコンテンツの再生開始時刻よりも再生開始時刻が遅い第２のコンテンツとを視聴予約可能な視聴予約部と、第１のコンテンツと第２のコンテンツのうち少なくとも一方を制御対象コンテンツとして設定する設定部と、前記視聴予約部によって視聴予約された第１のコンテンツの再生終了時刻よりも第２のコンテンツの再生開始時刻のほうが早い場合に第１のコンテンツの再生終了後に第２のコンテンツの再生が開始されるように前記設定部で設定された前記制御対象コンテンツの再生速度を制御する再生速度制御部と、を備えることを特徴としている。
【００１０】
また上記構成のコンテンツ再生装置において、前記再生速度制御部はさらに所定時刻までに第１のコンテンツの再生及び第２のコンテンツの再生が終了するように前記設定部で設定された前記制御対象コンテンツの再生速度を制御することが望ましい。
【００１１】
また上記構成のコンテンツ再生装置において、前記所定時刻は第１のコンテンツ及び第２のコンテンツのうち前記視聴予約部による視聴予約設定時における再生終了時刻が遅いコンテンツの再生終了時刻又は視聴者により設定された任意の時刻であることが望ましい。
【００１２】
また上記構成のコンテンツ再生装置において、前記制御対象コンテンツが記録コンテンツである場合に、前記再生速度制御部は前記記録コンテンツの少なくとも一部について再生速度を制御することが望ましい。
【００１３】
また上記構成のコンテンツ再生装置において、放送コンテンツを受信する受信部と、前記受信部により受信された放送コンテンツを記録予約可能な記録予約部と、を備え、前記制御対象コンテンツが前記受信部により受信される放送コンテンツである場合に、前記記録予約部は前記放送コンテンツに記録予約を行い、前記再生速度制御部は前記記録予約部によって記録予約が行われた記録後の前記放送コンテンツの少なくとも一部について再生速度を制御することが望ましい。
【００１４】
また上記構成のコンテンツ再生装置において、前記再生速度制御部による前記制御対象コンテンツに対する再生速度の制御は話速変換再生速度又は音声付早送り再生速度での再生であることが望ましい。
【発明の効果】
【００１５】
本発明によれば、視聴予約が設定された第１のコンテンツと第２のコンテンツがあり、第１のコンテンツの再生開始時刻が第２のコンテンツの再生開始時刻よりも早く、且つ、第１のコンテンツの再生終了時刻が第２のコンテンツの再生開始時刻よりも遅い場合に、第１のコンテンツ又は第２のコンテンツの少なくとも一方の番組の再生速度が制御される。その際、第１のコンテンツの再生終了時刻後に第２のコンテンツの再生が開始されるように再生速度を制御するので第１のコンテンツ及び第２のコンテンツの双方を視聴することができるので、視聴予約機能が活用しやすいコンテンツ再生装置となる。
【図面の簡単な説明】
【００１６】
【図１】コンテンツ再生装置の構成の一例を示すのブロック図
【図２】コンテンツ再生装置の制御部が実行する処理を示す第１のフローチャート
【図３】視聴予約設定が重複している状態を示す第１の模式図
【図４】視聴予約設定が重複している状態を示す第２の模式図
【図５】視聴予約設定が重複している状態を示す第３の模式図
【図６】図２のフローチャートの一部の処理の詳細を示すフローチャート
【図７】コンテンツ再生装置の制御部が実行する処理を示す第２のフローチャート
【図８】コンテンツ再生装置の制御部が実行する処理を示す第３のフローチャート
【図９】視聴予約設定が重複している状態を示す第３の模式図
【発明を実施するための形態】
【００１７】
＜第１実施形態＞
以下に本発明の実施形態について図面を参照して説明する。但し、以下に示す実施形態は、本発明の技術的思想を具体化するために本発明のコンテンツ再生装置の一例を示すものであって、本発明をこのコンテンツ再生装置に特定することを意図するものではなく、特許請求の範囲に含まれるその他の実施形態の装置にも等しく適応し得るものである。
【００１８】
コンテンツはテレビ放送局、ラジオ放送局、インターネット上のサーバーから放送・配信されるが、以下の説明ではコンテンツとしてテレビ放送局により放送されるテレビ番組（以下、「テレビ番組」を「番組」と称することもある。）を例に説明する。なお、本明細書では「テレビ放送局により放送されるコンテンツの録画」、「ラジオ放送局により放送されるコンテンツの録音」、「インターネット上のサーバーから配信されるコンテンツの保存」を総称して「コンテンツの記録」というものとする。
【００１９】
コンテンツ再生装置１は受信部２、記録部３、出力部４、制御部５を備える。受信部２は図示しないアンテナを介して放送信号（コンテンツデータ）を受信する受信手段である。より詳説すると受信部２はアンテナを介して受信した無線周波数信号からユーザによって選局が指示された周波数帯域のみが選別し、それ以外の周波数成分を除去する。そして選別した周波数帯域からユーザによって選局されたチャンネルのベースバンド信号を取り出す。
【００２０】
記録部３は受信部２を介して取得したコンテンツデータを記録する記録手段である。記録部３はコンテンツ再生装置１に内蔵されていることとしてもよいし、外付けされている（外部記録媒体）であることとしてもよい。以下記録部３に記録されているコンテンツを記録コンテンツと称し、特に記録部３に記録されているコンテンツがテレビ番組である場合には記録番組とも称する。
【００２１】
出力部４はメニュー画面等の画面データやコンテンツデータを出力する。出力部４は例えばディスプレイ、スピーカ等の視覚的、聴覚的な情報を出力する構成を備える。ディスプレイやスピーカは内蔵されているものに限られず、外部ディスプレイや外部スピーカであってもよい。本実施形態で出力部４は後述するように報知部（図２のステップＳ０５、図７のステップＳ１５、図８のステップＳ２５参照）としても利用される。なお、報知部を出力部４とは別構成で設けることとしてもよい。
【００２２】
制御部５はコンテンツ再生装置１全体を制御する制御手段である。制御部５は視聴予約部５１、設定部５２、再生速度制御部５３、記録予約部５４を有する。なお、本実施形態ではコンテンツ再生装置１が一の制御部５を備え、制御部５が視聴予約部５１、設定部５２、再生速度制御部５３、記録予約部５４を有するものとして以下説明するが、これに限られるものではない。コンテンツ再生装置１が複数の制御部を備える構成であってもよい。
【００２３】
視聴予約部５１は番組に対して視聴予約を設定する視聴予約設定手段である。視聴予約を設定することが可能な番組は、過去に放送され且つ記録部３に記録されている記録番組及び／又は放送が予定されている番組である。視聴予約設定は視聴予約が設定された番組の再生開始時刻を設定するものである。以下、「放送が予定されている番組」或いは「現在放送中の番組」を「放送番組」と称する。
【００２４】
記録番組に対して視聴予約が設定されると、設定した再生開始時刻が到来した際に記録部３から視聴予約が設定された記録番組が読み込まれ再生が開始する。一方、放送番組に視聴予約が設定されると、再生開始時刻が視聴予約が設定された放送番組の放送開始時刻に設定される。そして再生開始時刻が到来した際に視聴予約が設定された放送番組の放送局とは異なる放送局の番組を視聴していても自動的に視聴予約が設定されている視聴予約番組が選局される。
【００２５】
設定部５２は再生時間が重複する２つの番組の少なくとも一方を制御対象番組（制御対象コンテンツ）に設定する設定手段である。設定部５２による制御対象番組の設定の詳細に関しては後述する。
【００２６】
再生速度制御部５３は設定部５２により制御対象番組に設定された番組の再生速度を制御する再生速度制御手段である。再生速度制御部５３による再生速度制御の詳細に関しては後述する。
【００２７】
記録予約部５４は放送番組に対して記録予約を設定する記録予約設定手段である。記録予約を設定することが可能な番組は放送番組である。記録予約設定は記録予約が設定された番組を記録するものである。従って、放送番組に対して記録予約が設定されると、その番組の放送開始時刻が到来したときにその番組が選局されて記録が開始される。
【００２８】
以下、第１実施形態のコンテンツ再生装置１の制御部５が実行する処理について図２〜図６を参照して説明する。以下の図２、図６のフローチャートの説明において「制御部５の視聴予約部５１」、「制御部５の設定部５２」、「制御部５の再生速度制御部５３」は夫々「視聴予約部５１」、「設定部５２」、「再生速度制御部５３」と略して記載する。
【００２９】
図２は本実施形態の制御部５が実行する処理を示すフローチャートである。図３は視聴予約設定が重複している状態を示す第１の模式図である。図４は視聴予約設定が重複している状態を示す第２の模式図である。図４は視聴予約設定が重複している状態を示す第３の模式図である。図６は図２のフローチャートの一部の処理の詳細を示すフローチャートである。
【００３０】
本実施形態の図３〜図５において視聴予約Ａは第１の番組に対する視聴予約設定であり、視聴予約Ｂは第２の番組に対する視聴予約設定であることとする。本実施形態において第１の番組及び第２の番組は記録番組である。図３を参照すれば第１の番組の再生開始時刻は１８時に設定されており、第２の番組の再生開始時刻である１９時４０分よりも早い。また、第１の番組の再生終了時刻は２０時であり第２の番組の再生開始時刻である１９時４０分よりも遅い。従って第１の番組の再生時間と第２の番組の再生時間が重複している。
【００３１】
２つの視聴予約（２つの番組の再生時間）が重複した状態では両番組を視聴することができない。そこで制御部５は図２に示すフローチャートに従って処理を行い、両番組の視聴を可能とする制御を行う。
【００３２】
ステップＳ０１において制御部５は２つの視聴予約が重複するか否か（視聴予約が設定された２つの記録番組の再生時間が重複するか否か）を判定する。視聴予約が重複するか否かは第１の番組と第２の番組の再生開始時刻及び再生終了時刻を比較することによって判定可能である。すなわち、第１の番組の再生開始時刻よりも第２の番組のほうが再生開始時刻が遅く、且つ第１の番組の再生終了時刻よりも第２の番組の再生開始時刻のほうが早い場合に視聴予約が重複していると判定する。
【００３３】
２つの視聴予約が重複する場合（ステップＳ０１のＹ）はステップＳ０２に進み、２つの視聴予約が重複しない場合（ステップＳ０１のＮ）はステップＳ０３に進んで各番組の再生開始時刻が到来した際に各番組について再生を開始する。
【００３４】
ステップＳ０２において制御部５は第１の番組と第２の番組の少なくとも一方の番組の再生速度を制御することで第１の番組と第２の番組を共に再生することができるか否かを判定する。より詳説すれば制御部５は第１の番組と第２の番組の少なくとも一方の番組の再生速度を制御することで第１の番組の再生時間と第２の番組の再生時間の重複を回避し、且つ、第１の番組の再生と第２の番組の再生が所定時刻までに終了するか否かを判定する。
【００３５】
所定時刻とは視聴予約時における第１の番組の再生終了時刻及び第２の番組の再生終了時刻のうち再生終了時刻が遅い番組（本実施形態では第２の番組）の再生終了時刻又は視聴者により設定された任意の時刻である。
【００３６】
再生速度の制御は再生速度制御部５３によって実行され、再生速度制御部５３による再生速度の制御とは１倍速よりも速い再生速度で再生することをいう。
【００３７】
１倍速よりも速い再生速度としては１．２倍速、２倍速、１０倍速、３０倍速、６０倍速が例示される。１．２倍速再生は話速変換再生はともいわれ、映像、音声の内容が理解できるように補正がかけられた再生である。２倍速再生は音声付早送り再生ともいわれ、映像は認識可能であるが、音声の聞き取りが困難な再生である。１０倍速よりも再生速度が速い高速再生は映像及び音声の認識が困難な再生である。従って、再生速度を制御する際には１．２倍速又は２倍速とすることが望ましい。そこで本実施形態の再生速度制御部５３は第１の番組と第２の番組の少なくとも一方の番組の再生速度を１．２倍速又は２倍速に制御することとするがこれに限る趣旨ではない。
【００３８】
例えば図３に示すように視聴予約Ａ及び視聴予約Ｂがなされている場合には視聴予約Ａと視聴予約Ｂの重複時間は２０分である。この重複時間を０分とすることができれば（言い換えれば第１の番組の再生終了後に第２の番組の再生が開始されるようにすれば）２つの番組を再生することができる。
【００３９】
一方の番組の再生速度を制御する場合には第１の番組又は第２の番組の再生速度が制御される。第１の番組の再生時間は１８時から２０時までの２時間であるがこの再生時間を１時間４０分以下とすることができれば２つの番組を再生することができる。つまり第１の番組を１．２倍速かそれよりも速い再生速度で再生すれば２つの番組を再生することができる。
【００４０】
また、第２の番組の再生時間は１９時４０分から２２時までの２時間２０分であるが、この再生時間を２時間以下とすることができれば２つの番組を再生することができる。つまり第２の番組を１．２倍速かそれよりも速い再生速度で再生すれば２つの番組を再生することができる。
【００４１】
両方の番組の再生速度を制御する場合には第１の番組及び第２の番組の再生速度が制御される。第１の番組の再生時間と第２の番組の再生時間の合計再生時間は４時間２０分であるが、この合計再生時間を４時間以下とすることができれば２つの番組を再生することができる。つまり第１の番組及び第２の番組を１．２倍速かそれよりも速い再生速度で再生すれば２つの番組を再生することができる。
【００４２】
次に図４に示すように視聴予約Ａ及び視聴予約Ｂがなされている場合には視聴予約Ａと視聴予約Ｂの重複時間は４０分である。この重複時間を０分とすることができれば（言い換えれば第１の番組の再生終了後に第２の番組の再生が開始されるようにすれば）２つの番組を再生することができる。
【００４３】
一方の番組の再生速度を制御する場合には第１の番組又は第２の番組の再生速度が制御される。第１の番組の再生時間は１８時から１９時４０分までの１時間４０分であるがこの再生時間を１時間以下とすることができれば２つの番組を再生することができる。つまり第１の番組を２倍速かそれよりも速い再生速度で再生すれば２つの番組を再生することができる。
【００４４】
また、第２の番組の再生時間は１９時から２２時までの３時間であるが、この再生時間を２時間２０分以下とすることができれば２つの番組を再生することができる。つまり第２の番組を２倍速かそれよりも速い再生速度で再生すれば２つの番組を再生することができる。
【００４５】
両方の番組の再生速度を制御する場合には第１の番組及び第２の番組の再生速度が制御される。第１の番組の再生時間と第２の番組の再生時間の合計再生時間は４時間４０分であるが、この合計再生時間を４時間以下とすることができれば２つの番組を再生することができる。つまり第１の番組及び第２の番組を１．２倍速かそれよりも速い再生速度で再生すれば２つの番組を再生することができる。
【００４６】
なお、図３及び図４は上述したように一方の番組の再生速度を制御すれば２つの番組を再生可能であり、両方の番組を再生速度を制御する必要はないが、例えば図５に示すような視聴予約設定の状態であれば両方の番組の再生速度を制御する必要が生ずる。
【００４７】
すなわち図５は第１の番組の再生開始時刻と第２の番組の再生開始時刻とが極めて近く、且つ、第１の番組の再生終了時刻と第２の番組の再生開始時刻とが遠い。従って第１の番組の再生時間を２倍速に制御しても第１の番組の再生終了時刻よりも第２の番組の再生開始時刻の方が早くなる。同様に、第２の番組の再生時間を２倍速に制御しても第１の番組の再生終了時刻よりも第２の番組の再生開始時刻の方が早くなる。
【００４８】
ところで第１の番組の再生時間と第２の番組の再生時間の合計再生時間は３時間であり、この合計再生時間を２時間以下とすることができれば２つの番組を再生することができる。つまり第１の番組及び第２の番組を２倍速かそれよりも速い再生速度で再生すれば２つの番組を再生することができる。
【００４９】
上記のように制御部５は再生速度制御部５３によって第１の番組と第２の番組の少なくとも一方の番組の再生速度を１．２倍速又は２倍速とすることで２つの番組を再生することができるか否かを判定する。２つの番組を再生することができる場合（ステップＳ０２のＹ）はステップＳ０４に進み、２つの番組を再生することができない場合（ステップＳ０２のＮ）はステップＳ０５に進む。
【００５０】
ステップＳ０４において設定部５２は第１の番組と第２の番組の少なくとも一方の番組を制御対象番組に設定する。制御対象番組とは再生速度制御部５３によって再生速度が制御される対象となる番組である。第１の番組及び第２の番組のいずれの番組の制御対象番組に設定し、又は、双方の番組の再生速度を制御対象番組に設定するか予め定められていることとしてもよいし、状況に応じて制御部５が判断することとしてもよい。また、ユーザが任意に設定可能であることとしてもよい。制御部５が判断する際の処理の一例を図６を参照して説明する。図６は図２のステップＳ０４内で行われる処理の一例を示す図である。
【００５１】
ステップＳ４１１において設定部５２は一方の番組の再生速度を制御することで両番組の再生が可能であるか否かを判定する。例えば、２つの視聴予約の重複時間が短時間であり、一方の番組の再生速度を制御することで２つの番組を再生可能である場合は一方の番組の再生速度を制御することで２つの番組が再生可能であると判定する。これに対して図５に示すように２つの視聴予約の重複時間が長時間であり、一方の番組の再生速度を制御することで２つの番組を再生可能でない場合は一方の番組の再生速度を制御することで２つの番組が再生可能でないと判定する。
【００５２】
一方の番組の再生速度を制御することで２つの番組が再生可能である場合（ステップＳ４１１のＹ）はステップＳ４１２に進み、一方の番組の再生速度を制御しても２つの番組が再生可能でないとき（ステップＳ４１１のＮ）はステップＳ４１５に進む。
【００５３】
ステップＳ４１２において設定部５２は再生速度を制御する番組が限定されているか否かを判定する。再生速度を制御する番組が限定されている場合とは、例えば第１の番組の再生時間を制御しても２つの番組を再生することができず、第２の番組の再生速度を制御することで２つの番組を再生することができるような場合である。この場合再生速度を制御する番組は第２の番組に限定される。再生速度を制御する番組が限定されているとき（ステップＳ４１２のＹ）はその番組を制御対象番組に設定する（ステップＳ４１３）。
【００５４】
再生速度を制御する番組が限定されていないとき（ステップＳ４１２のＮ）は所定基準に基づいて制御対象番組を設定する（ステップＳ４１４）。ここで制御対象番組は予め定められた基準に基づいて制御部５が判断することとしてもよいし、ユーザによって設定された基準に基づいて制御部５が判断することとしてもよい。所定基準は特に限られるものではないが、例えば、番組のジャンル、提供日時の先後等が挙げられる。
【００５５】
すなわち一方の番組が音声を明瞭に聞き取る必要がない番組（スポーツ番組等）であって、他方の番組が音声をある程度明瞭に聞き取る必要がある番組（トーク番組等）であるときはスポーツ番組を制御対象番組に設定する。また、一方の番組のジャンルがユーザがよく視聴する番組ジャンルであり、他方の番組のジャンルがユーザがたまに視聴する番組ジャンルである場合には後者の番組を制御対象番組に設定する。
【００５６】
ステップＳ４１５において設定部５２は両番組を制御対象番組に設定する。
【００５７】
図２に戻って制御部５が実行する処理について説明を行う。
【００５８】
ステップＳ０５において制御部５は出力部４を介して第１の番組と第２の番組の少なくとも一方の番組の再生速度を制御しても２つの番組の再生が不能である旨を報知する。報知方法はディスプレイへの表示、音声案内等、ユーザが認識可能な態様であれば特に限られるものではない。報知内容はユーザに単に再生不能である旨を報知することとしてもよいし、視聴予約の変更を促す報知を行うこととしてもよい。
【００５９】
ステップＳ０６において再生速度制御部５３は制御対象番組の再生速度を制御する。例えば図４に示す場合において第１の番組及び第２の番組の一方の番組が制御対象番組に設定されている場合は２倍速で制御対象番組を再生しなければ２つの番組を再生することができない。また、図５に示す場合において第１の番組及び第２の番組が制御対象番組に設定されているが、２倍速で制御対象番組を再生しなければ２つの番組を再生することができない。従って再生速度制御部５３は制御対象番組を２倍速で再生するよう再生速度を制御する。
【００６０】
これに対して図３に示す場合において第１の番組及び第２の番組の一方の番組が制御対象番組に設定されている場合は１．２倍速と２倍速のどちらの再生速度で制御対象番組を再生しても２つの番組を再生することができる。このような場合に複数の再生速度のうちいずれの再生速度で制御対象番組の再生速度を制御するかは予め定められていることとしてもよいし、再生速度制御部５３が複数の再生速度の中から一の再生速度を選択することとしてもよい。
【００６１】
再生速度制御部５３が複数の再生速度の中から一の再生速度を選択する場合は、例えばより低倍速再生速度での再生速度（本実施形態では１．２倍速）を優先して選択することとしてもよいし、制御対象番組のジャンル等によって選択することとしてもよい。例えば制御対象番組が音声を明瞭に聞き取る必要がない番組（スポーツ番組等）であれば再生速度を２倍速とし、音声をある程度明瞭に聞き取る必要がある番組（トーク番組等）であれば再生速度を１．２倍速とする。
【００６２】
本実施形態によれば、第１の番組と第１の番組の再生開始時刻よりも再生開始時刻が遅い第２の番組に視聴予約が設定されており、第１の番組の再生終了時刻よりも第２の番組の再生開始時刻のほうが早い場合に、第１の番組と第２の番組のうち少なくとも一方が制御対象番組に設定される。制御対象番組に設定された番組は再生速度が制御されることで第１の番組の再生終了後に第２の番組の再生が開始される。これにより視聴予約機能が活用しやすいコンテンツ再生装置となる。
【００６３】
また、制御対象番組の再生速度を制御することで第１の番組及び第２の番組の再生を所定時刻までに終了することができる。ここで所定時刻とは第１の番組及び第２の番組のうち視聴予約設定時における再生終了時刻が遅いコンテンツの再生終了時刻又は視聴者により設定された任意の時刻である。所定時刻までに第１の番組と第２の番組の再生が終了するので限られた時間の中で効率よく番組を視聴することができる。
【００６４】
また制御対象番組に対する再生速度の制御を１．２倍速又は２倍速での再生とすることによって、再生速度が制御される番組の内容を十分に認識することができる。
【００６５】
＜第２実施形態＞
第２実施形態のコンテンツ再生装置１の制御部５が実行する処理について図７を参照して説明する。また、図３〜図５も参照する。以下の図７のフローチャートの説明において「制御部５の視聴予約部５１」、「制御部５の設定部５２」、「制御部５の再生速度制御部５３」、「制御部５の記録予約部５４」は夫々「視聴予約部５１」、「設定部５２」、「再生速度制御部５３」、「記録予約部５４」と略して記載する。
【００６６】
図７は本実施形態の制御部５が実行する処理を示すフローチャートである。本実施形態においても第１実施形態と同様に視聴予約Ａは第１の番組に対する視聴予約設定であり、視聴予約Ｂは第２の番組に対する視聴予約設定であることとする。但し、本実施形態において第１の番組は記録番組であり、第２の番組は放送番組であることとする。
【００６７】
なお、第１の番組の再生時間と第２の番組の再生時間が重複している点は第１実施形態と同様である。２つの視聴予約（２つの番組の再生時間）が重複した状態では両番組を視聴することができない。そこで制御部５は図６に示すフローチャートに従って処理を行い、両番組の視聴を可能とする制御を行う。
【００６８】
ステップＳ１１において制御部５は２つの視聴予約が重複するか否かを判定する。視聴予約が重複するか否かは第１の番組と第２の番組の再生開始時刻及び再生終了時刻を比較することによって判定可能である。すなわち、第１の番組の再生開始時刻よりも第２の番組のほうが再生開始時刻が遅く、且つ第１の番組の再生終了時刻よりも第２の番組の再生開始時刻のほうが早い場合に視聴予約が重複していると判定する。
【００６９】
２つの視聴予約が重複する場合（ステップＳ１１のＹ）はステップＳ１２に進み、２つの視聴予約が重複しない場合（ステップＳ１１のＮ）はステップＳ１３に進んで各番組の再生開始時刻が到来した際に各番組について再生を開始する。
【００７０】
ステップＳ１２において制御部５は第１の番組と第２の番組の少なくとも一方の番組の再生速度を制御することで第１の番組と第２の番組を共に再生することができるか否かを判定する。より詳説すれば制御部５は第１の番組と第２の番組の少なくとも一方の番組の再生速度を制御することで第１の番組の再生時間と第２の番組の再生時間の重複を回避し、且つ、第１の番組の再生と第２の番組の再生が所定時刻までに終了するか否かを判定する。
【００７１】
所定時刻とは視聴予約時における第１の番組の再生終了時刻及び第２の番組の再生終了時刻のうち再生終了時刻が遅い番組（本実施形態では第２の番組）の再生終了時刻又は視聴者により設定された任意の時刻である。但し本実施形態で視聴者により設定される場合には第２の番組の再生終了時刻よりも遅い時刻である。第２の番組は放送番組であり、再生終了時刻以前に第２の番組の再生を終了することはできないからである。
【００７２】
再生速度の制御は再生速度制御部５３によって実行され、再生速度制御部５３による再生速度の制御とは１倍速よりも速い再生速度で再生することをいう。本実施形態では第１実施形態と同様に、再生速度制御部５３は第１の番組と第２の番組の少なくとも一方の番組の再生速度を１．２倍速又は２倍速に制御することとする。
【００７３】
一方の番組の再生速度を制御する場合には第１の番組又は第２の番組の再生速度が制御される。第１の番組は記録番組である。従って、図３及び図４に示す視聴予約設定の状態において第１の番組の再生速度を制御する場合については上記第１実施形態と同様である。すなわち図３に示す場合は第１の番組を１．２倍速かそれよりも速い再生速度で再生すれば２つの番組を再生することができる。図４に示す場合は第１の番組を２倍速かそれよりも速い再生速度で再生すれば２つの番組を再生することができる。
【００７４】
第２の番組は放送番組である。放送番組はそれ自体の再生速度を制御することはできないが、記録して再生する際には再生速度を制御することができる。すなわち第１の番組を再生すると同時にバックグラウンドで第２の番組を記録すれば、記録した部分（以下、「放送番組の記録した部分」を「記録済部分」と称することもある。）については再生速度を制御することが可能である。
【００７５】
すなわち放送番組の再生速度を制御するとは記録済部分の再生速度を制御することを示す。第２の番組の再生速度を制御することで２つの番組の再生が可能になる場合について詳説する。第１の番組の再生と同時に第２の番組を記録していれば、第１の番組の再生が終了したときに記録済部分に関して再生速度を制御して再生を開始することができる。
【００７６】
そこで第１の番組の再生が終了した際に記録済部分の再生を開始すると共に放送番組の記録を継続する（いわゆる追っかけ再生）。上述したように記録済部分の再生は再生速度が制御されて標準再生速度よりも速い速度で再生される。従って記録済部分の再生速度は放送番組の再生速度（放送速度）よりも速いので、記録済部分の再生が放送番組の現在放送中の箇所に追いつくことが考えられる。
【００７７】
よって制御部５は記録済部分の再生速度を制御することで、記録済部分の再生が所定時刻までに終了するか否かに基づいて第２の番組の再生速度を制御することで２つの番組を再生することができるか否かを判定する。以下、図３及び図４を参照して具体的に説明する。
【００７８】
第２の番組の放送中に追いつくか否かは以下の数式によって算出される。
Ｔ２≧Ｔ１／（Ｓ２−Ｓ１）・・・数式（１）
Ｔ１：重複時間、Ｓ１：放送速度、Ｓ２：記録済部分の再生速度、Ｔ２：第２の番組の残り放送時間
【００７９】
図３において放送速度は１倍速である。また第１の番組の再生終了時刻は２０時であり第２の番組の再生開始時刻は１９時４０分である。よって第１の番組と第２の番組の重複時間Ｔ１は２０分である。また、第１の番組の再生終了時刻は
２０時であり第２の番組の再生終了時刻は２２時であるため第２の番組の残り放送時間は１２０分である。各値を数式（１）に代入すると、
１２０≧２０／（Ｎ−１）・・・数式（２）
となり、これを満たせば２つの番組が再生可能である。
【００８０】
数式（２）を展開すると、
Ｎ≧７／６となり、すなわち記録済部分の再生速度を１．２倍速かそれよりも速い再生速度で再生すれば２つの番組を再生することができる。
【００８１】
図４において放送速度は１倍速である。また第１の番組の再生終了時刻は１９時４０分であり第２の番組の再生開始時刻は１９時００分である。よって第１の番組と第２の番組の重複時間Ｔ１は４０分である。また、第１の番組の再生終了時刻は
１９時４０分であり第２の番組の再生終了時刻は２２時であるため第２の番組の残り放送時間は１４０分である。各値を数式（２）に代入すると、
１４０≧４０／（Ｎ−１）・・・数式（３）
となり、これを満たせば２つの番組が再生可能である。
【００８２】
数式（３）を展開すると、
Ｎ≧９／７となり、すなわち記録済部分の再生速度を２倍速かそれよりも速い再生速度で再生すれば２つの番組を再生することができる。
【００８３】
両方の番組の再生速度を制御する場合には第１の番組及び第２の番組の再生速度が制御される。図３に示す場合は、第１の番組の再生時間と第２の番組の再生時間の合計再生時間は４時間２０分であるが、この合計再生時間を４時間以下とすることができれば２つの番組を再生することができる。つまり第１の番組及び第２の番組を１．２倍速かそれよりも速い再生速度で再生すれば２つの番組を再生することができる。
【００８４】
図４に示す場合は、第１の番組の再生時間と第２の番組の再生時間の合計再生時間は４時間４０分であるが、この合計再生時間を４時間以下とすることができれば２つの番組を再生することができる。つまり第１の番組及び第２の番組を１．２倍速かそれよりも速い再生速度で再生すれば２つの番組を再生することができる。
【００８５】
図３及び図４は上述したように一方の番組の再生速度を制御すれば２つの番組を再生可能であり、両方の番組を再生速度を制御する必要はないが、第１実施形態と同様に図５に示すような視聴予約設定の状態であれば両方の番組の再生速度を制御する必要が生ずる。
【００８６】
すなわち図５において第１の番組の再生開始時刻と第２の番組の再生開始時刻とが極めて近く、且つ、第１の番組の再生終了時刻と第２の番組の再生開始時刻とが遠い。従って第１の番組の再生時間を２倍速に制御しても第１の番組の再生終了時刻よりも第２の番組の再生終了時刻の方が早くなる。同様に、第２の番組の再生時間を２倍速に制御しても第１の番組の再生終了時刻よりも第２の番組の再生終了時刻の方が早くなる。
【００８７】
ところで第１の番組の再生時間と第２の番組の再生時間の合計再生時間は３時間であり、この合計再生時間を２時間以下とすることができれば２つの番組を再生することができる。第１の番組の再生速度を２倍速に制御した場合の第１の番組の再生終了時刻は１８時４５分である。この時点で第２の番組の再生開始時刻から１５分経過している。つまり、重複時間Ｔ１＝１５分、放送速度Ｓ１＝１、記録済部分の再生速度Ｓ２はＮ、第２の番組の残り放送時間は７５分である。これらを数式（２）に代入すると
７５≧１５／（Ｎ−１）・・・数式（４）
となり、これを満たせば２つの番組が再生可能である。
【００８８】
数式（４）を展開すると、
Ｎ≧６／５となり、すなわち記録済部分の再生速度を２倍速で再生すれば２つの番組を再生することができることが分かる。
【００８９】
上述した処理を行うことによって制御部５は再生速度制御部５３によって第１の番組と第２の番組の少なくとも一方の番組の再生速度を１．２倍速又は２倍速とすることで２つの番組を再生することができるか否かを判定する。２つの番組を再生することができる場合（ステップＳ１２のＹ）はステップＳ１４に進み、２つの番組を再生することができない場合（ステップＳ１２のＮ）はステップＳ１５に進む。
【００９０】
ステップＳ１４において設定部５２は第１の番組と第２の番組の少なくとも一方の番組を制御対象番組に設定する。第１実施形態と同様に第１の番組及び第２の番組のいずれの番組の制御対象番組に設定し、又は、双方の番組の再生速度を制御対象番組に設定するか予め定められていることとしてもよいし、状況に応じて制御部５が判断することとしてもよい。また、ユーザが任意に設定可能であることとしてもよい。本ステップにおいても図６に示すフローチャートにて処理を行うことで制御対象番組を決定することとすればよい。
【００９１】
なお、制御部５は設定部５２が第２の番組（放送番組）を制御対象番組に設定した場合に、記録予約部５４に対して第２の番組に対する記録予約を設定させる。これにより第１の番組の再生と共に第２の番組の記録を行うことができる。記録予約部５４が第２の番組に対して記録予約を設定したことはユーザに報知することとしてもよいし、報知しないこととしてもよい。
【００９２】
ステップＳ１５において制御部５は出力部４を介して第１の番組と第２の番組の少なくとも一方の番組の再生速度を制御しても２つの番組の再生が不能である旨を報知する。報知方法は第１実施形態と同様に特に限られるものではない。
【００９３】
ステップＳ１６において再生速度制御部５３は制御対象番組の再生速度を制御する。制御対象番組の再生速度の制御方法は第１実施形態と同様に行うこととすればよい。
【００９４】
本実施形態によれば、第１実施形態と同様の効果を奏する。特に、制御対象番組が放送番組であっても追っかけ再生を行うことで２つの番組の再生を可能とすることができる。
【００９５】
＜第３実施形態＞
第３実施形態のコンテンツ再生装置１の制御部５が実行する処理について図８を参照して説明する。また、図３及び図４も参照する。以下の図８のフローチャートの説明において「制御部５の視聴予約部５１」、「制御部５の設定部５２」、「制御部５の再生速度制御部５３」、「制御部５の記録予約部５４」は夫々「視聴予約部５１」、「設定部５２」、「再生速度制御部５３」、「記録予約部５４」と略して記載する。
【００９６】
図８は本実施形態の制御部５が実行する処理を示すフローチャートである。本実施形態においても第１実施形態と同様に視聴予約Ａは第１の番組に対する視聴予約設定であり、視聴予約Ｂは第２の番組に対する視聴予約設定であることとする。但し、本実施形態において第１の番組は放送番組であり、第２の番組は放送番組又は記録番組であることとする。
【００９７】
なお、第１の番組の再生時間と第２の番組の再生時間が重複している点は第１実施形態と同様である。２つの視聴予約（２つの番組の再生時間）が重複した状態では両番組を視聴することができない。そこで制御部５は図８に示すフローチャートに従って処理を行い、両番組の視聴を可能とする制御を行う。
【００９８】
ステップＳ２１において制御部５は２つの視聴予約が重複するか否かを判定する。視聴予約が重複するか否かは第１の番組と第２の番組の再生開始時刻及び再生終了時刻を比較することによって判定可能である。すなわち、第１の番組の再生開始時刻よりも第２の番組のほうが再生開始時刻が遅く、且つ第１の番組の再生終了時刻よりも第２の番組の再生開始時刻のほうが早い場合に視聴予約が重複していると判定する。
【００９９】
２つの視聴予約が重複する場合（ステップＳ２１のＹ）はステップＳ２２に進み、２つの視聴予約が重複しない場合（ステップＳ２１のＮ）はステップＳ２３に進んで各番組の再生開始時刻が到来した際に各番組について再生を開始する。
【０１００】
ステップＳ２２において制御部５は第２の番組の再生速度を制御することで第１の番組と第２の番組を共に再生することができるか否かを判定する。すなわち本実施形態では第２の番組の再生開始時刻よりも再生開始時刻が早い第１の番組が放送番組であり、第１の番組を第２実施形態のように追っかけ再生しても第１の番組の再生時間と第２の番組の再生時間の重複を解消することはできない。
【０１０１】
よって本実施形態において制御部５は第２の番組の再生速度を制御することで第１の番組と第２の番組を共に再生することができるか否かを判定し、第１の番組のみ或いは両番組の再生速度を制御することで第１の番組と第２の番組を共に再生することができるか否かは判定しない。
【０１０２】
第２の番組が記録番組である場合は、第１実施形態で説明したように、図３に示す場合は第２の番組を１．２倍速かそれよりも速い再生速度で再生すれば２つの番組を再生することができる。また、図４に示す場合は第２の番組を１．２倍速かそれよりも速い再生速度で再生すれば２つの番組を再生することができる。
【０１０３】
第２の番組が放送番組である場合は、第１実施形態及び第２実施形態で説明したように、図３に示す場合は第２の番組を１．２倍速かそれよりも速い再生速度で再生すれば２つの番組を再生することができる。また、図４に示す場合は第２の番組を２倍速かそれよりも速い再生速度で再生すれば２つの番組を再生することができる。
【０１０４】
２つの番組を再生することができる場合（ステップＳ２２のＹ）はステップＳ２４に進み、２つの番組を再生することができない場合（ステップＳ２２のＮ）はステップＳ２５に進む。
【０１０５】
ステップＳ２４において設定部５２は第２の番組を制御対象番組に設定する。なお、制御部５は設定部５２が第２の番組が放送番組である場合に、記録予約部５４に対して第２の番組に対する記録予約を設定させる。
【０１０６】
ステップＳ２５において制御部５は出力部４を介して第１の番組と第２の番組の少なくとも一方の番組の再生速度を制御しても２つの番組の再生が不能である旨を報知する。報知方法は第１実施形態と同様に特に限られるものではない。
【０１０７】
ステップＳ２６において再生速度制御部５３は制御対象番組の再生速度を制御する。制御対象番組の再生速度の制御方法は第１実施形態と同様に行うこととすればよい。
【０１０８】
本実施形態によれば、第１実施形態及び第２実施形態と同様の効果を奏する。
【０１０９】
[その他]
上記各実施形態では、２つの番組が制御対象番組に設定された際に同一の再生速度で再生することとしたが、制御対象番組に設定された一方の番組の再生速度と他方の番組の再生速度が異なるように制御することとしてもよい。また、一の制御対象番組の再生速度を一定の再生速度（例えば１．２倍速）に制御することとしたが、複数の再生速度を組み合わせて制御対象番組を再生することとしてもよい。その際、複数の再生速度の中に、話速変換再生、音声付早送り再生のいずれか１つ以上を含むことが望ましい。上述したように話速変換再生であれば映像、音声共に内容が認識可能であり、音声付早送り再生であれば映像の内容が認識可能であるため、番組内容を把握することができるからである。
【０１１０】
前者に関しては例えば第２実施形態において図５に示す視聴予約設定の状態である場合、第２の番組の再生速度ＮはＮ≧６／５を満たせばよく、１．２倍速としても第１の番組と第２の番組が再生可能である。従って第１の番組の再生速度を２倍速に制御し、第２の番組の再生速度を１．２倍速に制御することとしてもよい。
【０１１１】
後者に関しては図９を参照して説明する。図９は視聴予約設定が重複している状態を示す第３の模式図である。図９において視聴予約Ａは第１の番組に対する視聴予約設定であり、視聴予約Ｂは第２の番組に対する視聴予約設定である。また、第１の番組及び第２の番組は記録番組であることとする。また設定部５２は第１の番組を制御対象番組に設定することとする。
【０１１２】
図９に示す場合において第１の番組の再生終了時刻は２０時であり第２の番組の再生開始時刻は１９時半であるため、第１の番組の再生時間と第２の番組の再生時間との重複時間は３０分である。ここで第１の番組の再生速度を制御する際に１．２倍速とすると第２の番組の再生開始時刻前に第１の番組の再生が終了しない。第１の番組の再生速度を制御する際に２倍速とすると１９時に第１の番組の再生が終了し、第１の番組の再生が終了してから第２の番組が開始されるまで３０分余ることになる。
【０１１３】
そこで、再生速度制御部５３は複数の再生速度を組み合わせて第１の番組の再生終了と同時又は直後に第２の番組の再生が開始されるようにする。１．２倍速と２倍速を組み合わせる場合を例に説明する。
【０１１４】
第１の番組の全編１２０分の内、２倍速で再生を行う時間をＸとすると、１．２倍速で再生を行う時間は（１２０−Ｘ）である。第１の番組の再生終了と同時又は直後に第２の番組の再生を開始させるには、第１の番組の合計再生時間を９０分とすればよい。
【０１１５】
つまり、Ｘ／２＋（１２０−Ｘ）／１．２＝９０となればよく、当該等式を満たすＸは３０である。つまり第１の番組の１／４を音声付早送り再生し、残りの３／４を話速変換再生することで第１の番組の再生終了と同時又は直後に第２の番組の再生が開始される。
【０１１６】
番組のどの部分を１．２倍速再生とし、また、２倍速再生とするかは限られるものではないが、通常、番組は終盤に差し掛かるにつれて盛り上がるように構成されていることから、番組開始から所定箇所までを２倍速再生（再生速度が速いモード）とし、所定箇所から番組終了までを１．２倍速再生（再生速度が遅いモード）とすればよい。
【０１１７】
なお、本例では１．２倍速と２倍速を組み合わせる場合について例示したが、高速再生を組み合わせることとしてもよいし、３以上の再生速度を組み合わせることとしてもよい。
【０１１８】
さらに、記録番組に関して内部構成が解析可能であれば、内部構成を解析して内部構成テーブルを作成することにより区分けした部分毎に再生速度を制御することとしてもよい。内部構成の分析は映像の変化、音の変化（音の波形や音量の変化）に基づいて行われる。
【０１１９】
例えば、テレビ放送では番組の前後や番組中にコマーシャルが挿入されている。そこで記録番組の内部構成を解析して、番組部分とコマーシャル部分を特定し、番組部分は再生速度を制御せず（標準再生速度とし）、コマーシャル部分の再生速度を制御することとしてもよい。その際、コマーシャル部分の開始位置と終了位置を記録しておき、コマーシャル部分をスキップ再生（高速再生の一種）することとしてもよい。
【０１２０】
番組の内部構成を３以上の部分に区分けすることとしてもよく、例えば音楽番組であれば、歌手と司会者の会話部分、歌手による歌唱部分、コマーシャル部分を特定し、夫々、会話部分については１．２倍速に再生速度を制御し、歌唱部分については再生速度を制御せず（標準再生速度とし）、コマーシャル部分についてはスキップ再生に再生速度を制御することとしてもよい。
【０１２１】
また、例えばバラエティ番組であれば、オープニング部分、エンディング部分、コマーシャル部分、その他の部分（番組コーナー部分）を特定し、オープニング部分とエンディング部分は話速変換再生、コマーシャル部分はスキップ再生、その他の部分は標準再生としてもよい。
【０１２２】
また、上記第２実施形態及び第３実施形態において制御部５は設定部５２によって放送番組が制御対象番組に設定されたときに記録予約部５４にに対して放送番組に対する記録予約を設定させることとした。このときの放送番組の記録は、記録済部分の再生が放送番組の現在放送中の箇所に追いついた際に終了することとしてもよいし、放送番組の全編を記録することとしてもよい。
【０１２３】
追いついた際に終了することとすればバックグラウンドでの記録を行う必要がなくなることで処理の負荷を軽減することができ、省電力を実現することができる。一方、全編を記録することとすればユーザが後日改めて標準速度でその番組を視聴することができる。記録を停止するか継続するかはユーザが設定できることとしてもよい。また、記録を継続する場合は記録が終了した際（すなわち全編の記録を行った際）にユーザに対して記録した旨を報知することとしてもよい。
【０１２４】
また、上記各実施形態のコンテンツ再生装置はテレビ番組等の映像を有する番組を再生・録画するものとしたが、ラジオ番組等の映像を有さない（音声のみを有する）番組を再生・録音するものであってもよい。また、映像番組と音声番組のいずれも再生、記録（録音・録画）するものであってもよい。そして、記録コンテンツと放送コンテンツに視聴予約可能なコンテンツ再生装置であればよい。
【０１２５】
このことから本願発明のコンテンツ再生装置は、第１のコンテンツと第１のコンテンツの再生開始時刻よりも再生開始時刻が遅い第２のコンテンツとを視聴予約可能な視聴予約部と、第１のコンテンツと第２のコンテンツのうち少なくとも一方を制御対象コンテンツとして設定する設定部と、前記視聴予約部によって視聴予約された第１のコンテンツの再生終了時刻よりも第２のコンテンツの再生開始時刻のほうが早い場合に第１のコンテンツの再生終了後に第２のコンテンツの再生が開始されるように前記設定部で設定された前記制御対象コンテンツの再生速度を制御する再生速度制御部と、を備えることを特徴とするものである。
【符号の説明】
【０１２６】
１      コンテンツ再生装置
２      受信部
３      記録部
４      出力部
５      制御部
５１    視聴予約部
５２    設定部
５３    再生速度制御部
５４    記録予約部
【図１】
2014103442.tif 000003
【図２】
2014103442.tif 000004
【図３】
2014103442.tif 000005
【図４】
2014103442.tif 000006
【図５】
2014103442.tif 000007
【図６】
2014103442.tif 000008
【図７】
2014103442.tif 000009
【図８】
2014103442.tif 000010
【図９】
2014103442.tif 000011